(57)【特許請求の範囲】
【請求項１】
画像を撮影するカメラ部と、
前記画像を記憶する画像記憶部と、
予め登録された第１の被写体に関する被写体データを記憶する被写体記憶部と、
入力画像から被写体を検出する被写体検出部と、
前記被写体検出部が検出した被写体を前記被写体記憶部の被写体データと比較し、識別する識別部と、
前記識別結果に基づき、前記入力画像に、前記第１の被写体と共に、前記被写体記憶部に登録されていない第２の被写体が含まれている場合、前記第１の被写体の被写体データに、前記第２の被写体の被写体データを紐付け処理する紐付け部とを有する携帯通信端末。
【請求項２】
前記紐付け部は、前記入力画像と、当該第１及び第２の被写体の被写体データとを紐付け処理する請求項１記載の携帯通信端末。
【請求項３】
前記入力画像に前記被写体記憶部に登録されていない前記第２の被写体のみが含まれていた場合、
前記識別部は、前記記憶した画像から前記被写体検出部が検出した被写体と、前記入力画像に含まれる前記第２の被写体とが一致するかどうか識別し、
前記紐付け部は、前記識別結果が一致した場合、前記記憶画像に含まれる前記第１の被写体の前記被写体データに、前記第２の被写体の被写体データを紐付け処理すると共に、前記入力画像と、前記第２の被写体の被写体データとを紐付け処理する請求項１又は２記載の携帯通信端末。
【請求項４】
他の通信装置と通信を行うための通信部をさらに有し、
前記入力画像は、前記カメラ部により撮影されたものか又は前記通信部により外部の装置から取得したものである請求項１乃至３のいずれか１項記載の携帯通信端末。
【請求項５】
画像を撮影するカメラ部と、
前記画像を記憶する画像記憶部と、
予め登録された第１の被写体に関する被写体データと、前記第１の被写体の被写体データに紐づけられた紐付き情報とを記憶する被写体記憶部と、
入力画像から被写体を検出する被写体検出部と、
前記被写体検出部が検出した被写体を前記被写体記憶部の被写体データと比較し、識別する識別部と、
前記識別部の識別結果に基づき画像を紐付けする紐付け部とを有し、
前記識別部は、前記識別結果に基づき、前記入力画像に前記第１の被写体とは異なる第２の被写体が含まれている場合、前記第１の被写体に紐付けられている紐付き情報を参照し、
前記紐付け部は、当該第２の被写体が第１の被写体の紐付き情報に一致する場合は、前記入力画像を前記第１の被写体と紐付け処理する携帯通信端末。
【請求項６】
撮影された入力画像から被写体を検出し、
前記画像を記憶し、
被写体検出部が検出した被写体を被写体記憶部に記憶された被写体データと比較して、識別し、
前記識別結果に基づき、前記入力画像に、予め前記被写体記憶部に登録された第１の被写体と共に、前記被写体記憶部に登録されていない第２の被写体が含まれている場合、前記第１の被写体の被写体データに、前記第２の被写体の被写体データを紐付け処理する携帯通信端末の制御方法。
【請求項７】
前記紐付け処理する際、前記入力画像と、当該第１及び第２の被写体の被写体データとを紐付け処理する請求項６記載の携帯通信端末の制御方法。
【請求項８】
前記入力画像に前記被写体データに登録されていない前記第２の被写体のみが含まれていた場合、
前記記憶した画像から検出した被写体と、前記入力画像に含まれる前記第２の被写体とが一致するかどうか識別し、
前記識別結果が一致した場合、前記記憶した画像に含まれる前記第１の被写体の前記被写体データに、前記第２の被写体の被写体データを紐付け処理すると共に、前記入力画像と、前記第２の被写体の被写体データとを紐付け処理する請求項６又は７記載の携帯通信端末の制御方法。
【請求項９】
所定の動作をコンピュータに実行させるためのプログラムであって、
撮影された入力画像から被写体を検出し、
被写体検出部が検出した被写体を被写体記憶部に記憶された被写体データと比較して、識別し、
前記識別結果に基づき、前記入力画像に、予め前記被写体記憶部に登録された第１の被写体と共に、前記被写体記憶部に登録されていない第２の被写体が含まれている場合、前記第１の被写体の被写体データに、前記第２の被写体の被写体データを紐付け処理する制御プログラム。
【請求項１０】
撮影された入力画像から被写体を検出し、
被写体検出部が検出した被写体を被写体記憶部に記憶された被写体データと比較して、識別し、
前記識別結果に基づき、前記入力画像に、予め前記被写体記憶部に記憶された第１の被写体と共に、前記被写体記憶部に登録されていない第２の被写体が含まれている場合、前記第１の被写体の被写体データに、前記第２の被写体の被写体データを紐付け処理する携帯通信端末の制御プログラムを格納したコンピュータにより読み取り可能な可読媒体。
【発明の詳細な説明】
【技術分野】
【０００１】
本発明は携帯通信端末、携帯通信端末の制御方法、携帯通信端末の制御プログラム及び携帯通信端末の制御プログラムを格納した可読媒体に関し、特に画像を記憶する携帯通信端末、携帯通信端末の制御方法、携帯通信端末の制御プログラム及び携帯通信端末の制御プログラムを格納したコンピュータ読み取り可能な可読媒体に関する。
【背景技術】
【０００２】
近年、携帯電話機に付いているカメラ機能は、デジタルカメラと同様に高画質、高機能であり、デジタルカメラの代わりに使っている人も多く、それら高画質カメラを使って写真を撮る行為が普及している。
【０００３】
携帯電話機のカメラを使って、友人や家族などと複数の人で撮った写真は、プリントアウトせずに、データの状態で、被写体となった人に送るということも増えてきている。しかしデジタルカメラ代わりに使用していると、撮影画像が増加してしまう。
【０００４】
整理せずに放置していると、たとえ友人から「自分が写っている写真を送って」と頼まれても、該当写真を探すために、携帯電話機内のカメラデータや、外部メモリに保管したデータを１枚ずつ見ないと探せない状況に陥ることもある。例えば、子供だけの写真を撮ると、現在の携帯電話機であれば、その子供が誰の子供であるかという記録は登録していないため、撮影した写真を整理することができない。
【０００５】
従来、携帯電話機で撮影した写真データを整理するために、写真データを見ながら、個別にフォルダを作成してデータを移動させたり、外部メモリに送信したり、などの操作が必要であり、携帯電話機単独で作業するには、時間がかかったり、煩わしい操作であった。そのため、いつのまにか写真の整理をしなくなったり、大雑把な整理をしたりするため、それらを後から見ても楽しめないという問題があった。
【０００６】
顔識別機能のための判別演算精度を向上させ、多少の角度の違いや、身に着けているものに差異があっても、容易に判別できる技術がある。また被写体ごとにフォルダを作成して、写真データを整理する技術や、被写体へ自動でメール配信する技術もある。これらの従来技術により、被写体ごとの写真アルバムを電子管理することができる。
【０００７】
特許文献１に記載の技術は、撮影した画像から顔検出を行い、人物解析した被写体に撮影した写真をメールで送信するものである。これにより、撮影したデータを被写体や関係者へより容易に送信することができる。しかし、撮影データは削除しない限り、手元の携帯電話機にデータとして残り、整理されない。
【０００８】
特許文献２に記載の技術は、撮影した画像を専用の機器に集めて、顔検出を行い、人物情報ＤＢを用いて人物解析し、判別して区別する。これにより、被写体ごとのフォルダ作成と写真データの管理が可能である。
【０００９】
特許文献３に記載の技術は、被写体の認識精度を向上させるために、顔情報照合時に、類似度と、当該デジタル画像を撮影した際の情報から算出された認識しきい値とを用いて、被写体情報と画像とを比較する処理を行い、その演算処理結果に基づいて、被写体を認識させることを特徴としている。この装置では、撮影時間や位置なども加味しているため、似たような被写体のデータがあったとしても、同じような時間に異なる場所で撮影した画像データは、異なる被写体を撮影したと判別することが可能である。これにより、被写体ごとの写真データ整理がより正確に行われることになった。
【００１０】
特許文献４に記載の技術は電話帳に登録した相手ごとに写真データをフォルダ分けし、フォルダ分けした画像をサーバに送信するものである。また、自分で旅行毎などサブフォルダを作成して、アルバム機能を自動で作成できることを特徴としている。
【先行技術文献】
【特許文献】
【００１１】
【特許文献１】特許第４１０３６８３号公報
【特許文献２】特開２００６−８５２６６号公報
【特許文献３】特開２００８−１１７２７１号公報
【特許文献４】特開２００６−２４４１７５号公報
【発明の概要】
【発明が解決しようとする課題】
【００１２】
これらの従来技術を用いることにより、登録された人物の画像を自動で整理することができる。しかしながら、登録された人物と、当該登録された人物の友人や家族等の関係のある人物とを関連させて整理することはできない。従って、登録された人物に関係のある人物の画像を送信しようとする際は、写真のデータから該当するものを選択しなければならず、面倒であるという問題があった。
【００１３】
本発明は、このような問題を解決するためになされたものであり、登録された人物に関係する人物のデータを紐付け処理する携帯通信端末、携帯通信端末の制御方法、携帯通信端末の制御プログラム及び携帯通信端末の制御プログラムを格納したコンピュータ読み取り可能な記録媒体を提供することを目的とする。
【課題を解決するための手段】
【００１４】
本発明にかかる携帯通信端末は、画像を撮影するカメラ部と、画像を記憶する画像記憶部と、予め登録された第１の被写体に関する被写体データを記憶する被写体記憶部と、入力画像から被写体を検出する被写体検出部と、被写体検出部が検出した被写体を被写体記憶部の被写体データと比較し、識別する識別部と、識別結果に基づき、入力画像に、第１の被写体と共に、被写体記憶部に登録されていない第２の被写体が含まれている場合、第１の被写体の被写体データに、第２の被写体の被写体データを紐付け処理する紐付け部とを有する。
【００１５】
本発明にかかる携帯通信端末の制御方法は、撮影された入力画像から被写体を検出し、被写体検出部が検出した被写体を被写体記憶部の被写体データと比較して、識別し、識別結果に基づき、入力画像に、前記被写体記憶部に予め登録された第１の被写体と共に、前記被写体記憶部に登録されていない第２の被写体が含まれている場合、第１の被写体の被写体データに、第２の被写体の被写体データを紐付け処理する。
【００１６】
本発明にかかる携帯通信端末の制御プログラムは、所定の動作をコンピュータに実行させるためのプログラムであって、撮影された入力画像から被写体を検出し、被写体検出部が検出した被写体を識別部に被写体記憶部の被写体データと比較して、識別させ、識別結果に基づき、入力画像に、被写体記憶部に予め登録された第１の被写体と共に、被写体記憶部に登録されていない第２の被写体が含まれている場合、第１の被写体の被写体データに、第２の被写体の被写体データを紐付け処理する。
【００１７】
本発明にかかる携帯通信端末の制御プログラムを格納したコンピュータにより読み取り可能な記録媒体は、撮影された入力画像から被写体を被写体検出部に検出させ、被写体検出部が検出した被写体を識別部に被写体記憶部の被写体データと比較して、識別し、識別結果に基づき、入力画像に、被写体記憶部に予め登録された第１の被写体と共に、被写体記憶部に登録されていない第２の被写体が含まれている場合、第１の被写体の被写体データに、第２の被写体の被写体データを紐付け処理する。
【発明の効果】
【００１８】
本発明によれば、登録された人物に関係する人物等の画像を、登録された人物に対し送信することができる携帯通信端末、携帯通信端末の制御方法、携帯通信端末の制御プログラム及び携帯通信端末の制御プログラムを格納したコンピュータ読み取り可能な記録媒体を提供することができる。
【図面の簡単な説明】
【００１９】
【図１】実施の形態１にかかる携帯通信端末１の概要を示す図である。
【図２】実施の形態１にかかる入力画像としての画像２０である。
【図３】実施の形態１にかかる携帯通信端末１の表示部に表示される電話帳の一例である。
【図４】実施の形態１にかかる被写体記憶部１２の有する人物Ａとしての「太郎」の被写体データを、携帯通信端末１の表示部が表示した際の一例である。
【図５】実施の形態１にかかる人物Ａである「太郎」及び「太郎」の家族登録された人物Ｂ乃至Ｄに、画像２０が紐づけられたことを示す図である。
【図６】実施の形態２にかかる画像２１及び２２を示す図である。
【図７】実施の形態２にかかる人物Ｅ及びＦが、人物Ａに紐づけて登録され、さらに、画像２１が人物Ｅ及びＦに関連づけて登録されたことを示す図である。
【発明を実施するための形態】
【００２０】
実施の形態１
以下、図面を参照して本発明の実施の形態について説明する。説明の明確化のため、以下の記載及び図面は、適宜、省略及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、以下の図面に示す各装置の構成は、例えば記憶装置に読み込まれたプログラムをコンピュータ（ＰＣ（personal computer）や携帯端末装置等）上で実行することにより実現される。上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２１】
図１は、本実施の形態にかかる携帯通信端末１の概要を示す図である。本実施の形態１にかかる携帯通信端末１は、カメラ部１０と、画像記憶部としての１１と、被写体記憶部１２と、被写体検出部１３と、識別部１４と、紐付け部１５と、通信部１６と、を有する。さらに、携帯通信端末１は、一般の携帯通信端末と同様に、例えば表示部（不図示）や電話番号を入力するための入力部（不図示）等を有する。ここで、本実施の形態においては、予め被写体記憶部１２にデータが登録された被写体を第１の被写体ということとし、データが記憶されていない被写体を第２の被写体ということとする。
【００２２】
本実施の形態にかかる携帯通信端末は、カメラ部１０により画像を撮影するか、又は通信部１５を用いて他の通信装置から画像を取得する。
【００２３】
そして、カメラ部１０又は通信部１６から取得された入力画像は、画像記憶部１１に記憶される。本例においては、入力画像に第１の被写体が含まれているものとする。
【００２４】
被写体記憶部１２は、予め登録された第１の被写体に関する被写体データを記憶いている。
【００２５】
被写体検出部１３は、入力画像から被写体を検出する。識別部１４は、被写体検出部１３が検出した被写体を被写体記憶部１２の被写体データと比較して、検出された被写体が第１の被写体であるか否か識別する。
【００２６】
紐付け部１５は、識別部１４の識別結果に基づき、入力画像に記憶されていない第２の被写体が含まれている場合、第１の被写体の被写体データに、第２の被写体の被写体データを紐付け処理する。さらに、紐付け部１５は、入力画像と、当該第１及び第２の被写体の被写体データとを紐付け処理するようにしてもよい。
【００２７】
また、入力画像に被写体記憶部に記憶されていない第２の被写体のみが含まれていた場合には、識別部１４は、記憶画像から検出部１３が検出した被写体と、入力画像に含まれる第２の被写体とが一致するかどうか識別する。そして、紐付け部１５は、識別結果が一致した場合、記憶画像に含まれる第１の被写体の被写体データに、第２の被写体の被写体データを紐付け処理すると共に、入力画像と、第２の被写体の被写体データとを紐付け処理する。
【００２８】
これにより、取得した入力画像から、登録されていない第２の被写体を検出して、当該第２の被写体のデータを、登録されている第１の被写体のデータに紐づけて登録することができる。これにより、より被写体のデータの整理をしやすくすることができる。
【００２９】
また、本実施の形態にかかる携帯通信端末１は、取得した入力画像と、第１及び第２の被写体データとを紐付け処理することができる。これにより、第１の被写体データ及び第２の被写体データから入力画像を検索することができる。
【００３０】
さらに、本実施の形態にかかる通信端末１は、取得した入力画像が、予め登録されていない第２の被写体のみが撮影されたものであっても、画像記憶部１１の記憶画像から、第２の被写体と一緒に記憶画像に写っている被写体を検索する。ここでは、第２の被写体は第１の被写体と一緒に写っている画像があるとする。この場合、第１の被写体データに第２の被写体データの紐付け処理をすることと、第１及び第２の被写体データに入力画像の紐付け処理をすることができる。これにより、第２の被写体のみの入力画像であっても、第１の被写体と紐づけて第２の被写体データを整理でき、また、入力画像の整理も第１及び第２の被写体データと紐付け処理することができる。
【００３１】
以上より、本実施の形態にかかる携帯通信端末１では、登録された被写体に画像データを送信する際、送信先に関係がある被写体のデータを容易に検索し、送信することができる。
【００３２】
本実施の形態にかかる携帯通信端末１について、更に詳細に説明する。図２は、本実施の形態にかかる入力画像としての画像２０である。入力画像２０には、予め被写体記憶部１２としての電話帳（図３参照）に登録された第１の被写体としての人物Ａ及び、登録されていない第２の被写体としての人物Ｂ乃至Ｄが撮影されている。
【００３３】
携帯通信端末１は、図１のカメラ部１０又は通信部１６から、入力画像２０を取得する。画像記憶部１１は、入力画像２０を記憶する。
【００３４】
被写体記憶部１２は、例えば、携帯電話装置における電話帳機能等である。図３は、携帯通信端末１の表示部に表示される電話帳の一例である。被写体記憶部１２は、予め人物Ａの情報を記憶している。この場合、人物Ａの情報とは例えば、名前、電話番号、Ｅメールアドレス、及び人物Ａを識別部１４が識別するための識別情報等である。
【００３５】
被写体検出部１３は、図２のように、入力画像２０から人物Ａ乃至Ｄを検出する。識別部１４は、被写体検出部１３が検出した人物Ａ乃至Ｄを識別する。ここで、人物Ａが予め登録された被写体である「太郎」であることがわかる。また、識別部１４は、人物Ｂ乃至Ｄが登録されていない人物であることを識別する。
【００３６】
紐付け部１５は、画像２０から、あらかじめ登録されている人物Ａと、登録されていない人物Ｂ乃至Ｄを識別した場合、人物Ｂ乃至Ｄは、人物Ａと関係があると判断し、ユーザに人物Ｂ乃至Ｄの紐付け処理としての家族登録をするか否か選択する。図３は、携帯通信端末１の表示部（不図示）に表示される選択画面の一例である。
【００３７】
図３の選択画面において、「する」を選択すると、人物Ｂ乃至Ｄを、人物Ａである「太郎」の家族データとして登録する画面に移動する。
【００３８】
図４は、被写体記憶部１２の有する人物Ａとしての「太郎」の被写体データを、携帯通信端末１の表示部が表示した際の一例である。人物Ｂ乃至Ｄは、「太郎」の家族として被写体記憶部１２に登録される。この家族登録では、名前や属性や写真も登録可能とする。これにより、被写体データをより効率的に整理することができる。
【００３９】
図５は、人物Ａである「太郎」及び「太郎」の家族登録された人物Ｂ乃至Ｄに、画像２０が紐づけられたことを示す図である。被写体記憶部１２は、被写体データを予め登録された「太郎」を筆頭に、家族フォルダを有している。本実施の携帯では、家族登録された被写体をサブフォルダに割り当てて、それぞれ被写体となっている写真を紐付けている。これにより、「太郎」家族の電子アルバムを自動で作成することができる。このように電子アルバムを作成することにより、撮影した写真を「太郎」に送付する際は、「太郎」に関係がある画像を効率良く選択することができる。
【００４０】
次に、入力画像に登録された被写体が写っていない場合について説明する。図６は、画像２１及び２２を示す図である。画像２１は、被写体として、人物Ｅ及びＦを撮影したものである。この時、被写体記憶部１２に、人物Ｅ及びＦの被写体データは予め登録されていないものとして説明する。
【００４１】
被写体検出部１３は、画像２１から被写体としての人物Ｅ及びＦを検出する。識別部１４は、人物Ｅ及びＦが、被写体記憶部１２に登録されていないことを判断すると、人物Ｅ及びＦを、画像記憶部１１に記憶されている他の画像の被写体から検索する。
【００４２】
画像２２は、画像記憶部１１の有する画像であり、被写体として人物Ａ、Ｂ、Ｅ及びＦが写っている画像である。
【００４３】
識別部１４は、画像記憶部１１が有する画像である画像２１の人物Ｅ及びＦと、画像２２の人物Ｅ及びＦが同一であると識別する。
【００４４】
識別部１４の識別結果に基づき、紐付け部１５は、人物Ｅ及びＦが、予め登録された人物Ａと関係のある被写体であると判断し、人物Ｅ及びＦを人物Ａに家族登録するか否かユーザに選択させる。
【００４５】
図７は、人物Ｅ及びＦが、人物Ａに紐づけて登録され、さらに、画像２１が人物Ｅ及びＦに関連づけて登録されたことを示す図である。これにより、本実施の形態では、登録されていない被写体のみの画像であっても、被写体データ及び入力画像の紐付け処理を行うことができる。
【００４６】
上記のようにして、人物Ａに関連した人物Ｂ乃至Ｆの被写体情報が、人物Ａと紐づけられた後は、紐付け部１５は、入力画像から被写体である人物Ａ乃至Ｆが検出されると、登録された人物Ａと、人物Ａに紐付けられた人物Ｂ乃至Ｆの紐付け情報を参照し、検出された人物毎に被写体データと入力画像とを紐付け処理する。これにより、自動で画像の整理が行われ、より効率的に画像の管理を行うことができる。
【００４７】
本実施の形態では、携帯電話機の電話帳に登録することがないが、被写体となる可能性が高い子供やペットの画像を、登録された被写体のデータに紐づけて管理する。それにより、画像のデータが増加した際であっても、画像データを利用しやすくすることができる。また、被写体でも自動で管理できれば、枚数が増えても利用しやすい。
【００４８】
また、本実施の形態にかかる携帯電話機は、撮影した画像を、識別機能を用いて、被写体ごとに自動で整理できる。電話帳に登録した名前をフォルダ名につけるなどすれば、誰の写真がどこにあるか管理することが容易である。また、数回しか会ったことのない友人の家族の写真も、同様に電話帳に登録しておけば、被写体が判別できる。さらに友人の写真フォルダの下にサブフォルダとして「友人の奥さん」「友人の子供」などのアルバムも自動で作成できるため、友人宛に、まとめて送信することもできる。
【００４９】
さらに、電話帳家族登録を行うことにより、個人ごとの写真フォルダ管理も家族ごとの写真フォルダ管理も同時に自動に行なうことができ、従って画像の配布も家族毎にまとめたファイルか、または個人毎にまとめたファイルかを選択することにより、より容易に送信する画像を選択することができる。
【００５０】
また、画像の配布を行なう際には、予め電話帳に登録した人物が特定できているので、メール添付で配信する際は、代表者のメールアドレス、件名等、家族分の写真や個別の写真など添付ファイル付きでメーラを立ち上げるようにしてもよい。これにより、より簡単に画像の送付をすることができる。
【００５１】
また、本実施の形態にかかる携帯通信端末は、家族情報などの紐付けのための情報は、写真データ自体に登録するのではなく、電話帳で管理する。そのため、例え写真を外部に配布しても、データ自体には個人情報を記載した管理データがないので、セキュリティ面が考慮できる。
【００５２】
また、画像の配布に関しては、メールではなく、データ転送機能であるＩｒＤＡやＢｌｕｅｔｏｏｔｈ（登録商標）等を用いるようにしてもよい。
【００５３】
なお、本発明は上記実施の形態に限られたものではなく、趣旨を逸脱しない範囲で適宜変更することが可能である。
【００５４】
（付記１）
画像を撮影するカメラ部と、
前記画像を記憶する画像記憶部と、
予め登録された第１の被写体に関する被写体データを記憶する被写体記憶部と、
入力画像から被写体を検出する被写体検出部と、
前記被写体検出部が検出した被写体を前記被写体記憶部の被写体データと比較し、識別する識別部と、
前記識別結果に基づき、前記入力画像に、前記第１の被写体と共に、前記被写体記憶部に登録されていない第２の被写体が含まれている場合、前記第１の被写体の被写体データに、前記第２の被写体の被写体データを紐付け処理する紐付け部とを有する携帯通信端末。
（付記２）
前記紐付け部は、前記入力画像と、当該第１及び第２の被写体の被写体データとを紐付け処理する付記１記載の携帯通信端末。
（付記３）
前記入力画像に前記被写体記憶部に登録されていない前記第２の被写体のみが含まれていた場合、
前記識別部は、前記記憶画像から前記検出部が検出した被写体と、前記入力画像に含まれる前記第２の被写体とが一致するかどうか識別し、
前記紐付け部は、前記識別結果が一致した場合、前記記憶画像に含まれる前記第１の被写体の前記被写体データに、前記第２の被写体の被写体データを紐付け処理すると共に、前記入力画像と、前記第２の被写体の被写体データとを紐付け処理する付記１又は２記載の携帯通信端末。
（付記４）
他の通信装置と通信を行うための通信部をさらに有し、
前記入力画像は、前記カメラ部により撮影されたものか又は前記通信部により外部の装置から取得したものである付記１乃至３のいずれか１項記載の携帯通信端末。
（付記５）
画像を撮影するカメラ部と、
前記画像を記憶する画像記憶部と、
予め登録された第１の被写体に関する被写体データと、前記第１の被写体の被写体データに紐づけられた紐付き情報とを記憶する被写体記憶部と、
入力画像から被写体を検出する被写体検出部と、
前記被写体検出部が検出した被写体を前記被写体記憶部の被写体データと比較し、識別する識別部と、
前記識別部の識別結果に基づき画像を紐付けする紐付け部とを有し、
前記識別部は、前記識別結果に基づき、前記入力画像に前記第１の被写体とは異なる第２の被写体が含まれている場合、前記紐付き情報を参照し、
前記紐付け部は、当該第２の被写体が前記第１の被写体の紐付き情報に一致する場合は、前記入力画像を前記第１の被写体と紐付け処理する携帯通信端末。
（付記６）
撮影された入力画像から被写体を検出し、
被写体検出部が検出した被写体を被写体記憶部に記憶された被写体データと比較して、識別し、
前記識別結果に基づき、前記入力画像に、予め前記被写体記憶部に登録された第１の被写体と共に、前記被写体記憶部に登録されていない第２の被写体が含まれている場合、前記第１の被写体の被写体データに、前記第２の被写体の被写体データを紐付け処理する携帯通信端末の制御方法。
（付記７）
前記紐付け処理する際、前記入力画像と、当該第１及び第２の被写体の被写体データとを紐付け処理する付記６記載の携帯通信端末の制御方法。
（付記８）
前記入力画像に前記被写体データに登録されていない前記第２の被写体のみが含まれていた場合、
前記記憶画像から検出した被写体と、前記入力画像に含まれる前記第２の被写体とが一致するかどうか識別し、
前記識別結果が一致した場合、前記第１の被写体の前記被写体データに、前記第２の被写体の被写体データを紐付け処理すると共に、前記入力画像と、前記第２の被写体の被写体データとを紐付け処理する付記６又は７記載の携帯通信端末の制御方法。
（付記９）
他の通信装置と通信を行い、
前記入力画像は、前記撮影されたものか又は前記外部の装置と通信することにより取得したものである付記６乃至８のいずれか１項記載の携帯通信端末の制御方法。
（付記１０）
撮影された入力画像から被写体を検出し、
前記検出された被写体を被写体データと、予め登録された前記第１の被写体の被写体データに紐づけられた紐付き情報と比較して、前記入力画像に前記第１の被写体とは異なる第２の被写体が含まれている場合、前記第１の被写体に紐付けられている紐付き情報を参照して、識別し、
前記識別結果に基づき、当該第２の被写体が前記第１の被写体の紐付き情報に一致する場合は、前記入力画像を前記第１の被写体と紐付け処理する携帯通信端末の制御方法。
（付記１１）
所定の動作をコンピュータに実行させるためのプログラムであって、
撮影された入力画像から被写体を検出し、
被写体検出部が検出した被写体を被写体記憶部に記憶された被写体データと比較して、識別し、
前記識別結果に基づき、前記入力画像に、予め前記被写体記憶部に登録された第１の被写体と共に、前記被写体記憶部に登録されていない第２の被写体が含まれている場合、前記第１の被写体の被写体データに、前記第２の被写体の被写体データを紐付け処理する制御プログラム。
（付記１２）
撮影された入力画像から被写体を検出し、
被写体検出部が検出した被写体を被写体記憶部に記憶された被写体データと比較して、識別し、
前記識別結果に基づき、前記入力画像に、予め前記被写体記憶部に記憶された第１の被写体と共に、前記被写体記憶部に登録されていない第２の被写体が含まれている場合、前記第１の被写体の被写体データに、前記第２の被写体の被写体データを紐付け処理する携帯通信端末の制御プログラムを格納したコンピュータにより読み取り可能な可読媒体。
【符号の説明】
【００５５】
１  携帯通信端末
２  携帯通信端末
１０  カメラ部
１１  画像記憶部
１２  被写体記憶部
１３  被写体検出部
１４  識別部
１５  紐付け部
１６  通信部
２０  画像
２１  画像
２２  画像
【図１】
0005505092.tif 000002
【図２】
0005505092.tif 000003
【図３】
0005505092.tif 000004
【図４】
0005505092.tif 000005
【図５】
0005505092.tif 000006
【図６】
0005505092.tif 000007
【図７】
0005505092.tif 000008